(57)【要約】【課題】  他装置から画像データ取得後にユーザが面倒な操作を別途することなく、他装置から画像データの取得時に当該他装置における各種設定情報を併せて取得することができる情報処理装置、情報処理方法及び撮像装置を提供する。【解決手段】  画像を保持する他装置と通信可能な情報処理装置において、他装置が保持する画像を指定する。指定された画像に対して他装置において付加情報が付加されているか否かを判定し、当該画像に対して付加情報が付加されている場合、設定情報更新装置１１１において、その付加情報を取得して自装置に設定されている情報を更新するための更新情報を生成する。そして、他装置から指定された画像を取得するとともに、自装置に設定されている情報を更新情報を用いて更新する。【選択図】  図１
2005176275.tif 000002
【特許請求の範囲】
【請求項１】
画像を保持する他装置と通信可能な情報処理装置であって、
前記他装置が保持する画像を指定する指定手段と、
指定された前記画像に対して前記他装置において付加情報が付加されているか否かを判定する判定手段と、
前記画像に対して付加情報が付加されている場合、該付加情報を取得して自装置に設定されている情報を更新するための更新情報を生成する生成手段と、
前記他装置から前記画像を取得する取得手段と、
自装置に設定されている前記情報を前記更新情報を用いて更新する更新手段と
を備えることを特徴とする情報処理装置。
【請求項２】
前記更新情報を用いて自装置に設定されている情報を更新するか否かを指示する指示手段とさらに備え、
前記更新手段は、前記指示手段による前記情報の更新指示があることを条件として、自装置に設定されている該情報を前記更新情報を用いて更新する
ことを特徴とする請求項１に記載の情報処理装置。
【請求項３】
前記他装置から取得される前記画像に関する前記更新情報を自装置に設定されている情報に基づいて設定する設定手段をさらに備え、
前記更新手段が、自装置に設定されている前記情報を前記設定手段で設定された前記更新情報を用いて更新する
ことを特徴とする請求項１に記載の情報処理装置。
【請求項４】
前記生成手段によって生成された前記更新情報又は前記設定手段によって設定された前記更新情報のいずれを用いて、前記更新手段に対して自装置に設定されている前記情報を更新させるかを選択する選択手段をさらに備えることを特徴とする請求項３に記載の情報処理装置。
【請求項５】
前記取得手段が、ＤＰＯＦ規格に準拠した前記付加情報を取得して記録することを特徴とする請求項１に記載の情報処理装置。
【請求項６】
前記生成手段が、
自装置で設定可能な付加情報に関する項目を取得する手段と、
前記他装置において前記付加情報で設定されている項目を取得する手段と、
前記自装置における設定可能項目と前記他装置における設定項目とを比較する手段と、
前記比較の結果から前記自装置で設定可能な項目に関する付加情報のみを前記他装置から付加情報を取得する手段とを備え、
該他装置から取得した前記付加情報を前記更新情報として生成することを特徴とする請求項１から５までのいずれか１項に記載の情報処理装置。
【請求項７】
画像を保持する他装置と通信可能な情報処理装置における情報処理方法であって、
前記他装置が保持する画像を指定する指定工程と、
指定された前記画像に対して前記他装置において付加情報が付加されているか否かを判定する判定工程と、
前記画像に対して付加情報が付加されている場合、該付加情報を取得して自装置に設定されている情報を更新するための更新情報を生成する生成工程と、
前記他装置から前記画像を取得する取得工程と、
自装置に設定されている前記情報を前記更新情報を用いて更新する更新工程と
を有することを特徴とする情報処理方法。
【請求項８】
画像を保持する他装置と通信可能なコンピュータに、
前記他装置が保持する画像を指定する指定手順と、
指定された前記画像に対して前記他装置において付加情報が付加されているか否かを判定する判定手順と、
前記画像に対して付加情報が付加されている場合、該付加情報を取得して該コンピュータ内に設定されている情報を更新するための更新情報を生成する生成手順と、
前記他装置から前記画像を取得する取得手順と、
該コンピュータ内に設定されている前記情報を前記更新情報を用いて更新する更新手順と
を実行させるためのプログラム。
【請求項９】
請求項８に記載のプログラムを格納したことを特徴とするコンピュータ読み取り可能な記録媒体。
【請求項１０】
画像を撮影し保持する他の撮像装置と通信可能な撮像装置であって、
画像を撮像する撮像手段と、
撮像された前記画像を記録媒体に記録する記録手段と、
前記他の撮像装置が保持する画像を指定する指定手段と、
指定された前記画像に対して前記他の撮像装置において付加情報が付加されているか否かを判定する判定手段と、
前記画像に対して付加情報が付加されている場合、該付加情報を取得して自装置に設定されている情報を更新するための更新情報を生成する生成手段と、
前記他の撮像装置が保持する前記画像を取得して前記記録媒体に記録する取得手段と、
自装置に設定されている情報を前記更新情報を用いて更新する更新手段と
を備えることを特徴とする撮像装置。
【請求項１１】
前記他の撮像装置に設定されている撮影条件に関する情報を取得する第２の取得手段をさらに備え、
前記更新手段が、自装置に設定されている撮像条件に関する情報を、前記他の撮像装置から取得された前記撮影条件に関する情報を用いて更新する
ことを特徴とする請求項９に記載の撮像装置。
【請求項１２】
前記撮像手段により撮像された画像及び前記取得手段により前記他の撮像装置から取得された画像を表示するＬＣＤ液晶表示手段をさらに備えることを特徴とする請求項９に記載の撮像装置。
【発明の詳細な説明】
【技術分野】
【０００１】
本発明は、被写体を撮像してデジタル画像を記録する撮像装置に関し、特に、他の撮像装置に接続してデータの授受が可能な情報処理装置、情報処理方法及び撮像装置に関する。
【背景技術】
【０００２】
従来より、デジタル画像を撮像するデジタルカメラにおいて、パーソナルコンピュータ等のホストコンピュータに転送して加工・保存させるためのインタフェースを備えたデジタルカメラが多く案出されている。また最近では、ＵＳＢ（Universal Serial Bus）やＩＥＥＥ１３９４等の新しいインタフェース規格も提案され、これらをインタフェースとして持つデジタルカメラも多く見受けられる。
【０００３】
このような状況において、デジタルカメラに他のデジタルカメラを接続し、当該他のデジタルカメラを制御することによって、利便性の高いデジタルカメラを提供する方法が開示されている（例えば、特許文献１参照。）。
【０００４】
また、パーソナルコンピュータと他の周辺機器が接続されたネットワーク環境において、対象となっている機器の対象情報のみを取得することによって、ネットワークにかかる負荷を削減することが可能な方法が開示されている（例えば、特許文献２参照。）。
【０００５】
さらに、デジタルカメラに他のデジタルカメラを接続し、撮影した画像を他のデジタルカメラの記録媒体に記録することで、撮影を行ったデジタルカメラの記録媒体の容量が不足するような場合であっても、撮影可能とする方法も開示されている（例えば、特許文献３参照。）。
【特許文献１】特開２０００−１３４５２７号公報
【特許文献２】特開２００１−２４２１５９号公報
【特許文献３】特開２００１−１７７７９３号公報
【発明の開示】
【発明が解決しようとする課題】
【０００６】
しかしながら、上述したように、あるデジタルカメラに他のデジタルカメラ等を接続して画像の授受を行うような場合、当該画像が撮影された時の設定情報が直接画像ファイルに記述されていない限りは、画像を授受されたときには既に当該設定情報は失われてしまう。すなわち、ユーザは、他のデジタルカメラから画像データ（画像ファイルに直接設定情報が記述されていない画像データ）をコピーしただけでは、もとの他のデジタルカメラにおいて画像に付加されていた設定情報を得ることはできない。
【０００７】
例えば、ＤＰＯＦ規格に準拠した設定情報は、画像データとは別のファイルに保存されるため、他のデジタルカメラから画像データをコピーする場合は、同時に設定情報が記述されているファイルも取得し、設定情報を更新する必要がある。また、他のデジタルカメラと同じ条件で撮影したい場合は、その他の設定に係る画像データであっても、他のデジタルカメラの撮影メニュー画面を見ながら、撮影条件を設定するといった操作が必要となる。
【０００８】
本発明は、このような事情を考慮してなされたものであり、他装置から画像データ取得後にユーザが面倒な操作を別途することなく、他装置から画像データの取得時に当該他装置における各種設定情報を併せて取得することができる情報処理装置、情報処理方法及び撮像装置を提供することを目的とする。
【課題を解決するための手段】
【０００９】
上記課題を解決するために、本発明は、画像を保持する他装置と通信可能な情報処理装置であって、
前記他装置が保持する画像を指定する指定手段と、
指定された前記画像に対して前記他装置において付加情報が付加されているか否かを判定する判定手段と、
前記画像に対して付加情報が付加されている場合、該付加情報を取得して自装置に設定されている情報を更新するための更新情報を生成する生成手段と、
前記他装置から前記画像を取得する取得手段と、
自装置に設定されている前記情報を前記更新情報を用いて更新する更新手段と
を備えることを特徴とする。
【００１０】
また、本発明は、画像を保持する他装置と通信可能な情報処理装置における情報処理方法であって、
前記他装置が保持する画像を指定する指定工程と、
指定された前記画像に対して前記他装置において付加情報が付加されているか否かを判定する判定工程と、
前記画像に対して付加情報が付加されている場合、該付加情報を取得して自装置に設定されている情報を更新するための更新情報を生成する生成工程と、
前記他装置から前記画像を取得する取得工程と、
自装置に設定されている前記情報を前記更新情報を用いて更新する更新工程と
を有することを特徴とする。
【００１１】
さらに、本発明は、画像を撮影し保持する他の撮像装置と通信可能な撮像装置であって、
画像を撮像する撮像手段と、
撮像された前記画像を記録媒体に記録する記録手段と、
前記他の撮像装置が保持する画像を指定する指定手段と、
指定された前記画像に対して前記他の撮像装置において付加情報が付加されているか否かを判定する判定手段と、
前記画像に対して付加情報が付加されている場合、該付加情報を取得して自装置に設定されている情報を更新するための更新情報を生成する生成手段と、
前記他の撮像装置が保持する前記画像を取得して前記記録媒体に記録する取得手段と、
自装置に設定されている情報を前記更新情報を用いて更新する更新手段と
を備えることを特徴とする。
【発明の効果】
【００１２】
本発明によれば、他装置から画像データ取得後にユーザが面倒な操作を別途することなく、他装置から画像データの取得時に当該他装置における各種設定情報を併せて取得することができる。
【発明を実施するための最良の形態】
【００１３】
以下、図面を参照して、本発明の一実施形態に係るデジタルカメラの構成及びその動作について詳細に説明する。
【００１４】
＜第１の実施形態＞
図１は、本発明の第１の実施形態に係るデジタルカメラ及びその周辺機器の一構成例を示すブロック図である。
【００１５】
図１において、１０１は、被写体像を結像するためのレンズ、１０２は、レンズ１０１からの入射光量を調節するための絞り機構である。また、１０３は、レンズ１０１から絞り機構１０２を通って入射した光信号を電気信号に変換する撮像素子である。さらに、１０４は、撮像素子１０３により光電変換された信号をサンプリングしてゲインコントロールするＣＤＳ／ＡＧＣ回路、１０５は、ＣＤＳ／ＡＧＣ回路１０４から出力されるアナログ信号をデジタル信号に変換するアナログ・デジタル（Ａ／Ｄ）変換器である。さらにまた、１０６は、Ａ／Ｄ変換器１０５においてＡ／Ｄ変換された信号に対して所定の処理を施すカメラ信号処理回路である。
【００１６】
一方、１１９は、図１に示すデジタルカメラ全体を制御するマイクロコンピュータ（ＣＰＵ）、１１３は、カメラ信号処理回路１０６から出力されたデジタル信号をＣＰＵ１１９を介して一時的に記憶する記録装置（メモリ）である。また、１１８は、カメラ信号処理回路１０６から出力した画像データ（ｒａｗデータ）をＪＰＥＧ等などの圧縮アルゴリズムを用いて圧縮したり、或いは伸長したりする画像圧縮・伸長装置である。
【００１７】
さらに、１０８は、後述するＬＣＤ液晶表示装置１０９に出力する映像信号を保持する画像表示メモリである。また、１０７は、画像表示メモリ１０８に出力されたデジタル信号をアナログ信号に変換するデジタル・アナログ（Ｄ／Ａ）変換器である。そして、１０９は、Ｄ／Ａ変換器１０７から出力されるアナログ映像信号をユーザに対して表示するＬＣＤ液晶表示装置である。
【００１８】
さらにまた、１１７は、メモリ１１３上に一時的に記憶されている画像データを画像ファイルの形で保存するデジタルカメラに対して着脱可能なメモリカードやディスク等の二次記録装置である。さらに、１１５は、二次記録装置１１７への画像データの書き込み及び読み出しを行うためのカードインタフェース（Ｉ／Ｆ）、１１６は、ネットワーク上の例えば、他のデジタルカメラ等の他装置である。また、１１４は、他のデジタルカメラ等の他装置１１６に接続するためのＵＳＢ規格に準拠した通信用インタフェース（Ｉ／Ｆ）である。
【００１９】
さらにまた、１１０は、単独のボタンキーやタッチパネル或いは十字ボタン等を用いて各種設定情報の更新選択を行うための設定情報更新選択装置である。１１２は、カメラの撮影情報及びＤＰＯＦ等の設定情報を作成し取得する設定情報作成・取得装置である。また、１１１は、通信用Ｉ／Ｆ１１４を介して他装置１１６の設定情報を取得し、メモリ１１３や二次記録装置１１７に設定されている設定情報を更新する設定情報更新装置である。
【００２０】
尚、図１に示すデジタルカメラ（撮像装置）では、他のデジタルカメラ等の他装置１１６が１台しか接続できないように記述されているが、複数台接続されていてもよい。また、本実施形態では、画像データとして特に静止画像を主として扱うデジタルカメラを撮像装置の一例として用いるが、当該画像データは動画像であってもよい。また、撮像装置はデジタルカメラだけに限定されず、デジタルビデオカメラ等であってもよい。
【００２１】
以下、第１の実施形態に係るデジタルカメラを用いた画像データの取得及び設定情報の更新例について説明する。
【００２２】
図２は、本発明の第１の実施形態に係るデジタルカメラを用いて実現される２台のデジタルカメラの接続状態を示す概要図である。すなわち、図２（ａ）に示すようにデジタルカメラ２０１とデジタルカメラ２０２が通信用Ｉ／Ｆ２０３を用いて互いに接続される。また、図２（ｂ）は、デジタルカメラ２０１及び２０２の背面の一例を表しており、２０４は十字ボタン、２０５は決定ボタンを示しており、これらは図１の設定情報更新選択装置１１０の一実施形態に相当する。また、２０６はＬＣＤ液晶表示装置（１０９）に相当する表示画面である。
【００２３】
図３は、デジタルカメラ２０２で撮影され通信用Ｉ／Ｆ２０３を介してデジタルカメラ２０１にコピーされた画像データに付加されている設定情報の更新処理の手順を説明するためのフローチャートである。
【００２４】
まず、デジタルカメラ２０２に記録されている画像データのコピーが指定されると（ステップＳ３０１）、コピー先（デジタルカメラ２０１）における画像の記録領域を確保する処理が行われる（ステップＳ３０２）。尚、画像データをコピーするために必要な領域を確保できなかった場合は、処理を終了してＬＣＤ液晶表示装置１０９におけるエラー表示やブザー音等の出力を行うことにより、画像データのコピーを実行するだけの領域を確保できなかったことを通知するようにしてもよい。
【００２５】
ステップＳ３０２の処理により、デジタルカメラ２０１において画像データをコピーするための領域確保が完了すると、画像データのデジタルカメラ２０１へのコピーが開始される（ステップＳ３０３）。尚、ステップＳ３０３におけるコピー開始ルーチンに関しては、図４を用いて後述する。そして、ステップＳ３０３でコピー開始ルーチンが完了すると、デジタルカメラ２０１では、コピーされた画像データの設定情報を更新する処理が行われる（ステップＳ３０４）。尚、ステップＳ３０４の設定情報更新ルーチンに関しては、図６を用いて後述する。
【００２６】
そして、ステップＳ３０４の設定情報更新ルーチンを完了すると、デジタルカメラ２０１にコピーされた画像データの設定情報も同時に更新され、このシーケンスを終了する。尚、本実施形態ではデジタルカメラ間の画像データのコピー（複写）としているが、デジタルカメラ２０２からデジタルカメラ２０１への画像データの移動でも同様にして行うことが可能である。
【００２７】
図４は、図３のフローチャートに示されるコピー開始ルーチン（ステップＳ３０３）の詳細な手順を説明するためのフローチャートである。すなわち、コピー開始ルーチンが呼び出されると（ステップＳ４０１）、コピー対象となった画像に関する情報を取得し、コピー対象となった画像が通信用Ｉ／Ｆを介した他のデジタルカメラ２０２に記録されている画像を指定しているかの判断をする（ステップＳ４０２）。ステップＳ４０２における判断の結果、他のデジタルカメラ２０２に記録されている画像を選択していた場合（Ｙｅｓ）はステップＳ４０３に進み、自身（デジタルカメラ２０１）に記録されている画像を選択していた場合（Ｎｏ）はステップＳ４０５に進む。
【００２８】
次いで、ステップＳ４０３では、指定された画像に設定情報が付加されているかどうかを判断する。ステップＳ４０３における判断の結果、コピーする画像に設定情報が付加されていた場合（Ｙｅｓ）はステップＳ４０４に進み、設定情報が付加されていなかった場合（Ｎｏ）はステップＳ４０５に進む。
【００２９】
ステップＳ４０４では、設定情報の更新リストの取得を行う。尚、更新リスト取得ルーチンに関しては、図５を用いて後述する。そして、設定情報取得ルーチン（ステップＳ４０４）を完了すると、他のデジタルカメラから確保された領域に対して画像のコピーが実際に行われる（ステップＳ４０５）。そして、ステップＳ４０５における画像のコピーが完了すると、このシーケンスを終了する。尚、ステップＳ４０２で自身に記録されている画像を選択していた場合（Ｎｏ）はその画像をコピーして、確保されていた領域に格納する（ステップＳ４０５）。
【００３０】
図５は、更新リスト取得ルーチン（ステップＳ４０４）の詳細な手順を説明するためのフローチャートである。まず、設定情報の更新リスト取得ルーチンが呼び出されると（ステップＳ５０１）、デジタルカメラ２０１では、自身のデジタルカメラ２０１で設定可能な設定情報を取得し（ステップＳ５０２）、次いで他のデジタルカメラ２０２で設定可能な設定情報を取得する（ステップＳ５０３）。
【００３１】
次いで、ステップＳ５０２とステップＳ５０３の結果から、設定情報の任意の１つの項目に対して、デジタルカメラ２０２で設定されている当該設定項目の設定情報が自身のデジタルカメラ２０１においても設定可能であるか否かを判定する（ステップＳ５０４）。ステップＳ５０４において、自身のデジタルカメラ２０１で設定可能であると判定された場合（Ｙｅｓ）はステップＳ５０５へ進み、設定不可能であると判定された場合（Ｎｏ）はステップＳ５０７へ進む。
【００３２】
ステップＳ５０５においては、他のデジタルカメラ２０２で設定されている当該項目の設定情報を取得し、自身のデジタルカメラ２０１の設定情報に変換する。そして、設定項目を更新リストに登録する（ステップＳ５０６）。さらに、次の設定項目について、設定可能なデータがまだ存在するか否かを判定する（ステップＳ５０７）。ステップＳ５０７による判定結果に基づいて、設定項目がまだ存在している場合（Ｙｅｓ）はステップＳ５０５へ進み、設定項目がなくなるまで上記ステップＳ５０５からステップＳ５０７までの処理を繰り返す。一方、ステップＳ５０７において他に設定項目が存在していないと判定された場合（Ｎｏ）は、このシーケンスを終了する。このシーケンスを終了した結果、他のデジタルカメラ２０２において設定されていてた項目の中で、更新可能なリストを取得することが可能となる。
【００３３】
図６は、図３のフローチャートにおける設定情報更新ルーチン（ステップＳ３０４）の詳細な手順を説明するためのフローチャートである。ステップＳ３０４の設定情報更新ルーチンが呼び出されると（ステップＳ６０１）、まず、設置情報の更新場所の特定をする（ステップＳ６０２）。次いで、特定された更新場所に対して更新許可を取得する（ステップＳ６０３）。そして、更新場所が、カードＩ／Ｆ１１５を介して行われる記録媒体（例えば、二次記録装置１１７）に対してか、或いはそれ以外の場所であるかを判定する（ステップＳ６０４）。
【００３４】
その結果、更新場所が記録媒体の場合（Ｙｅｓ）はステップＳ６０５へ進み、更新場所がそれ以外の場合（Ｎｏ）はステップＳ６０７へ進む。ステップＳ６０５においては、更新場所である記録媒体の中から更新対象となるファイルをさらに特定する。そして、ステップＳ４０４で取得された更新リストを特定されたファイルに対して追加することによって設定ファイルを更新し（ステップＳ６０６）、このシーケンスを終了する。一方、ステップＳ６０７においては、更新場所がそれ以外の場合であるため、ステップＳ４０４で取得された更新リストを用いて設定されている内容を更新し、このシーケンスを終了する。
【００３５】
図７は、デジタルカメラ２０１が通信用Ｉ／Ｆ１１４を介してデジタルカメラ２０２の画像を取得してその設定情報も更新した場合のＬＣＤ液晶表示装置１０９に表示される画像の取得例を示す図である。すなわち、図７（ａ）に示す状態は、図３に示される画像データのコピーシーケンスを実行する前の画面例であり、コピーシーケンスの実行後は、図７（ｂ）に示すような画面になる。
【００３６】
図７において、７１ａ〜７１ｄはＬＣＤ液晶表示装置１０９に映し出されている撮影画像、７２ａ〜７２ｄはＬＣＤ液晶表示装置１０９に映し出されている画像に対して設定されている情報の中でプリント設定におけるインデックスプリントを出力するかどうかのフラグを示す。すなわち、フラグが「ＯＮ」の場合は出力が許可されている状態、「ＯＦＦ」の場合は出力しない状態を示している。また、７３ａ〜７３ｄはそれぞれのデジタルカメラにおいてプリント設定されている画像の総プリント枚数であり、７４ａ〜７４ｄはＬＣＤ液晶表示装置１０９に映し出されている画像７１ａ〜７１ｄのプリント枚数を示している。
【００３７】
図７（ａ）において、デジタルカメラ２０２は、インデックスプリントを行い、現在ＬＣＤ液晶表示装置１０９に映し出されている画像７１ａのプリント枚数は８枚、デジタルカメラ２０２において設定されている総プリント枚数が３２枚であることを示している。また、デジタルカメラ２０１は、インデックスプリントを行わず、現在ＬＣＤ液晶表示装置１０９に映し出されている画像のプリント枚数は１枚、デジタルカメラ２０１において設定されている総プリント枚数が１枚であることを示している。
【００３８】
図７（ａ）の状態で、デジタルカメラ２０２のＬＣＤ液晶表示装置１０９に映し出されている画像７１１をデジタルカメラ２０１が取得しようとする場合、前述したように、図３のフローチャートに示す画像データのコピーシーケンス（ステップＳ３０１）が呼び出される。そして、コピーシーケンス（ステップＳ３０１）において画像がコピーできるだけの領域がデジタルカメラ２０１内で確保された場合、コピー開始シーケンス（ステップＳ３０３）が呼び出され、図４のフローチャートで示される処理ルーチンが実行される。
【００３９】
ここで、図７（ａ）で示されているように、コピー対象の画像データは設定情報（ここでは、一例としてプリント枚数）を持っているので、ステップＳ４０４へ進んで更新リスト取得ルーチンを実行することになる。更新リスト取得ルーチン（ステップＳ４０４）において、画像データに設定されている設定情報がプリント情報であることが判明し、かつインデックスプリントを行ってそのプリント枚数が８枚という設定情報を取得する。
【００４０】
そして、図３のフローチャートにおける設定情報更新ルーチン（ステップＳ３０４）において、図７（ｂ）に示すように設定情報を更新する。具体的には、更新先が例えば記録媒体であるとすると図６のステップＳ６０５に進んで更新するファイルを特定し、設定情報であるインデックスプリントを行うという設定及びプリント枚数が８枚であるという設定を、ステップＳ６０６において設定ファイルに追加更新する。
【００４１】
ここで、図７（ｂ）では、図３のフローチャートにおける画像データコピールーチンを実行した結果（画像７１ｄ）が、デジタルカメラ２０１のＬＣＤ液晶表示装置１０９に示されている。このように、図３のルーチンを実行することによって、画像データを取得するだけでなく、７２ｄ、７３ｄ及び７４ｄに示すように、その画像に付随する設定情報までも取得し、かつデジタルカメラ２０１の設定情報も更新されることとなる。
【００４２】
以上説明したように、第１の実施形態によれば、デジタルカメラの設定情報更新装置を使用することにより、画像のコピーを行うと同時に当該画像に付加されている設定情報も併せて取得して、画像データだけでなくその設定情報も効果的にコピーすることが可能となる。
【００４３】
＜第２の実施形態＞
次に、本発明の第２の実施形態に係るデジタルカメラによる設定情報更新処理について、図面を参照して説明する。図８は、本発明の第２の実施形態におけるデジタルカメラの撮影に関する設定情報の更新処理を説明するためのフローチャートを示す。尚、デジタルカメラの構成及びその接続状態は、それぞれ図１及び図２に示すものと同様とする。また、画像データのコピールーチン及びコピー開始ルーチン並びに設定情報更新ルーチンは、それぞれ図３及び図４並びに図６に示すフローチャートと同様とし、図５に示すステップＳ４０４の更新リスト取得ルーチンに加えて、図８のフローチャートに示す更新リスト取得ルーチンが行われる。
【００４４】
まず、更新リストの取得ルーチンが呼び出されると（ステップＳ７０１）、画像データを取得し（ステップＳ７０２）、次いで、画像データに含まれる様々な撮影情報の中でデジタルカメラで設定可能な項目のみを取得する。すなわち、記録画素数を取得し（ステップＳ７０３）、圧縮率を取得し（ステップＳ７０４）、記録形式を取得し（ステップＳ７０５）、ＩＳＯ感度を取得し（ステップＳ７０６）、ＡＦモードを取得する（ステップＳ７０７）。このようにして、ステップＳ７０２からステップＳ７０７で取得した撮影情報は、全て更新リストに登録する。
【００４５】
以上のように、他のデジタルカメラから撮影条件に関する情報を画像データをコピーする時に取得し、自デジタルカメラの撮影条件に関する情報の設定を更新することができる。これによって、他のデジタルカメラと同一の撮影条件の設定を行う際に、従来のようにデジタルカメラにおいてユーザが他装置のメニュー画面を見ながら設定する必要ななくなり、煩雑な設定操作をすることなく他のデジタルカメラと同じ撮影条件で容易に撮影することが可能となる。
【００４６】
＜第３の実施形態＞
以下、本発明の第３の実施形態に係るデジタルカメラによる設定情報更新処理について、図面を参照して説明する。図９は、本発明の第３の実施形態におけるデジタルカメラの設定情報更新装置１１１によって更新する情報を選択するためにＬＣＤ液晶表示装置１０９に項目を表示した表示例を示す図である。尚、デジタルカメラの構成及びその接続状態は、それぞれ図１及び図２に示すものと同様とする。また、画像データのコピールーチン及びコピー開始ルーチンは図３及び図４に示すフローチャートと同様である。
【００４７】
図９において、９０１はＬＣＤ液晶表示装置１０９上に表示されるメニュー画面、９０２ａ〜９０２ｄはメニュー画面９０１に表示されている更新情報の選択ボタンである。尚、本実施形態では、更新情報の一例として、画像の再生に関する再生情報と撮影に関する撮影情報の２種類を選択するものとする。ユーザは、図２に示す十字ボタン２０４や決定ボタン２０５を使用して、図９の更新情報の選択ボタン９０２ａ〜９０２ｄを前もって選択しておく。そして、選択された情報（選択情報）は、図１に示すＣＰＵ１１９を通して、メモリ１１３に記録される。
【００４８】
そして、ステップＳ３０３における画像データのコピー時、設定情報更新装置１１１は、ＣＰＵ１１９を通してメモリ１１３に記録された選択情報を取得し、図１０に示すように、選択情報をＬＣＤ液晶表示装置１０９に表示させて、画像データに付随する設定情報も同時に更新する処理をする。すなわち、図１０は、ＬＣＤ液晶表示装置１０９に表示される選択情報の一例を示す図である。
【００４９】
以上のように、設定情報を更新するための選択手段を提供し、ユーザに前もって設定を選択させるようにすることで、画像データのコピー動作を行った時に、設定情報も同時に更新するかの選択をユーザの任意で実行させることが可能となる。
【００５０】
＜第４の実施形態＞
以下、本発明の第４の実施形態について図面を参照して説明する。本実施形態は、前述した第１の実施形態に加えて、設定情報更新処理（図３のステップＳ３０４）において、設定情報更新装置１１１で更新する情報を自身のデジタルカメラで設定されている情報から作成するようにする。
【００５１】
図１１は、第４の実施形態におけるデジタルカメラ２０１と通信用Ｉ／Ｆ１１４を介してデジタルカメラ２０２とが接続されている状態を示す図である。図１１において、９０３はデジタルカメラ２０２でダイレクトプリントの設定をする場合のＬＣＤ液晶表示装置１０９に表示されるメニュー画面のイメージ図を示している。また、図１１において、９０４はデジタルカメラ２０１でダイレクトプリントの設定をする場合のＬＣＤ液晶表示装置に表示されるイメージ図を示している。尚、デジタルカメラ２０１では、デジタルカメラ２０２の設定枚数と異なる設定がされている一例として、全画像プリント１枚指定となっている場合について示す。
【００５２】
図１２は、自身のデジタルカメラで設定されている情報で画像データに付随する設定情報の更新を実現する場合のデジタルカメラのメニュー画面を示す図である。図１２において、９０５は図９の９０１と同じＬＣＤ液晶表示装置１０９に表示されるメニュー画面を示している。９０６はデジタルカメラ２０２で設定されている画像データに付随する設定情報を示している。９０７はデジタルカメラ２０１で設定されている画像データに付随する設定情報で更新することを示している。
【００５３】
以上のように、本実施形態では、設定情報を自身のデジタルカメラで設定されている情報で更新することが可能な設定情報更新装置１０９を備えている。これによって、他のデジタルカメラの画像データをコピーする際に、上述した実施形態のようにその画像データに付随している設定情報をそのまま更新するのではなく、自デジタルカメラで設定された内容で好適に更新することができる。
【００５４】
＜第５の実施形態＞
以下、本発明の第５の実施形態について図面を参照して説明する。本実施形態は、第１の実施形態に加えて、設定情報更新（図３のステップＳ３０４）において、設定情報更新装置１１１が設定情報としてＤＰＯＦ規格に準拠した設定ファイル（以降、「ＤＰＯＦファイル」と記述する。）の内容を取得する場合について説明する。図１３は、本発明の第５の実施形態における他のデジタルカメラのＤＰＯＦファイルから設定情報を取得して自身のデジタルカメラのＤＰＯＦファイルへ追加・更新する手順を説明するためのフローチャートである。
【００５５】
図１３に示すように、まずＤＰＯＦファイルを更新するルーチンが指定されると（ステップＳ９０１）、画像データとともにＤＰＯＦファイルが存在するか否かを確認する（ステップＳ９０２）。その結果、存在する場合（Ｙｅｓ）、コピーしてきた画像ファイルの中で自身のデジタルカメラで設定可能な項目を取得する（ステップＳ９０３）。次いで、コピーしてきた画像ファイルの自身のデジタルカメラにおけるパス名を取得する（ステップＳ９０４）。さらに、ＤＰＯＦ規格に準拠した設定情報を作成する（ステップＳ９０５）。そして、設定情報をＤＰＯＦファイルに追加する（ステップＳ９０６）。そして、ステップＳ９０３からステップＳ９０６で取得等された情報を用いて、他のデジタルカメラのＤＰＯＦファイルを更新する（ステップＳ９０７）。
【００５６】
一方、ステップＳ９０２でＤＰＯＦファイルが存在しない場合（Ｎｏ）はそのまま終了する。
【００５７】
以上のように、ＤＰＯＦ規格に準拠した画像データの設定情報について既に設定されているデジタルカメラ等から情報を取得して自デジタルカメラの設定情報を更新することができる。すなわち、画像データをコピーする場合に併せて、画像に付随するＤＰＯＦ規格の設定というわずらわしい作業を画像のコピーと共に行うことができ、利便性が格段に向上した更新処理を行うことが可能となる。
【００５８】
＜その他の実施形態＞
以上、実施形態例を詳述したが、本発明は、例えば、システム、装置、方法、プログラム若しくは記憶媒体等としての実施態様をとることが可能であり、具体的には、複数の機器から構成されるシステムに適用しても良いし、また、一つの機器からなる装置に適用しても良い。
【００５９】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００６０】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００６１】
その場合、プログラムの機能を有していれば、オブジェクトコード、インタプリタにより実行されるプログラム、ＯＳに供給するスクリプトデータ等の形態であっても良い。
【００６２】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６３】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６５】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００６６】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６７】
【図１】本発明の第１の実施形態に係るデジタルカメラ及びその周辺機器の一構成例を示すブロック図である。
【図２】本発明の第１の実施形態に係るデジタルカメラを用いて実現される２台のデジタルカメラの接続状態を示す概要図である。
【図３】デジタルカメラ２０２で撮影され通信用Ｉ／Ｆ２０３を介してデジタルカメラ２０１にコピーされた画像データに付加されている設定情報の更新処理の手順を説明するためのフローチャートである。
【図４】図３のフローチャートに示されるコピー開始ルーチン（ステップＳ３０３）の詳細な手順を説明するためのフローチャートである。
【図５】更新リスト取得ルーチン（ステップＳ４０４）の詳細な手順を説明するためのフローチャートである。
【図６】図３のフローチャートにおける設定情報更新ルーチン（ステップＳ３０４）の詳細な手順を説明するためのフローチャートである。
【図７】デジタルカメラ２０１が通信用Ｉ／Ｆ１１４を介してデジタルカメラ２０２の画像を取得してその設定情報も更新した場合のＬＣＤ液晶表示装置１０９に表示される画像の取得例を示す図である。
【図８】本発明の第２の実施形態におけるデジタルカメラの撮影に関する設定情報の更新処理を説明するためのフローチャートを示す。
【図９】本発明の第３の実施形態におけるデジタルカメラの設定情報更新装置１１１によって更新する情報を選択するためにＬＣＤ液晶表示装置１０９に項目を表示した表示例を示す図である。
【図１０】ＬＣＤ液晶表示装置１０９に表示される選択情報の一例を示す図である。
【図１１】第４の実施形態におけるデジタルカメラ２０１と通信用Ｉ／Ｆ１１４を介してデジタルカメラ２０２とが接続されている状態を示す図である。
【図１２】自身のデジタルカメラで設定されている情報で画像データに付随する設定情報の更新を実現する場合のデジタルカメラのメニュー画面を示す図である。
【図１３】本発明の第５の実施形態における他のデジタルカメラのＤＰＯＦファイルから設定情報を取得して自身のデジタルカメラのＤＰＯＦファイルへ追加・更新する手順を説明するためのフローチャートである。
【符号の説明】
【００６８】
１０１  レンズ
１０２  絞り機構
１０３  撮像素子
１０４  ＣＤＳ／ＡＧＣ回路
１０５  Ａ／Ｄ変換器
１０６  カメラ信号処理回路
１０７  Ｄ／Ａ変換器
１０８  画像表示メモリ
１０９  ＬＣＤ液晶表示装置
１１０  設定情報更新選択装置
１１１  設定情報更新装置
１１２  設定情報作成・取得装置
１１３  メモリ
１１４  通信用Ｉ／Ｆ
１１５  カードＩ／Ｆ
１１６  他のデジタルカメラ
１１７  二次記録装置
【図１】
2005176275.tif 000003
【図２】
2005176275.tif 000004
【図３】
2005176275.tif 000005
【図４】
2005176275.tif 000006
【図５】
2005176275.tif 000007
【図６】
2005176275.tif 000008
【図７】
2005176275.tif 000009
【図８】
2005176275.tif 000010
【図９】
2005176275.tif 000011
【図１０】
2005176275.tif 000012
【図１１】
2005176275.tif 000013
【図１２】
2005176275.tif 000014
【図１３】
2005176275.tif 000015